(57)【要約】    【課題】  本発明は、ＬＣＤの表示面にカバーガラスを貼付けて成る表示部ユニットを、機器筐体に収容設置して成る電子機器を対象とし、上記表示部ユニットに関するリペア作業を容易に実施することができ、併せて外観形状の可及的なコンパクト化を図ることの可能な電子機器の提供を目的とする。    【解決手段】  本発明の電子機器は、肉薄の板金から形成されて表示部ユニットを収容保持するパネルホルダと、このパネルホルダを囲繞して保持する枠形状の中間ケースと、肉薄の板金から形成され中間ケースの外側に嵌合設置されてカバーガラスの表面周縁部と当接し表示部ユニットを保持する外ケースとを備えている。    【選択図】  図６
2008271192.tif 000002
【特許請求の範囲】
【請求項１】
ＬＣＤの表示面にカバーガラスを貼付けて成る表示部ユニットを機器筐体に収容設置して成る電子機器であって、
肉薄の板金から形成され、前記表示部ユニットを収容保持するパネルホルダと、
前記パネルホルダを囲繞して保持する枠形状の中間ケースと、
肉薄の板金から形成され、前記中間ケースの外側に嵌合設置されて、前記カバーガラスの表面周縁部と当接し、前記表示部ユニットを保持する外ケースと、
を具備して成ることを特徴とする電子機器。
【請求項２】
前記外ケースにおける前記カバーガラスと前記中間ケースとの間のコーナー部を面取り形状としたことを特徴とする請求項１記載の電子機器。
【発明の詳細な説明】
【技術分野】
【０００１】
本発明は、ＬＣＤの表示面にカバーガラスを貼付けて成る表示部ユニットを、機器筐体に収容設置して成る電子機器に関するものである。
【背景技術】
【０００２】
昨今の、電子機器の一例である携帯電話機等においては、多くの文字情報や画情報を表示させるべく、液晶表示部を構成する大型のＬＣＤユニットを、機器筐体の内部に収容設置する構成が提供されている(例えば、特許文献１参照)。
【０００３】
図８および図９に示した従来の携帯電話機Ａは、スライドユニット(図示せず)を介して開閉自在に連結された本体筐体Ｂと蓋体筐体Ｃとを具備し、上記本体筐体Ｂには、操作キーＢｋ、Ｂｋ…および送話部(図示せず)等が設けられ、上記蓋体筐体Ｃには操作キーＣｋ、Ｃｋ…、液晶表示部Ｃｄおよび受話部(図示せず)等が設けられている。
【０００４】
蓋体筐体Ｃにおける液晶表示部Ｃｄは、蓋体筐体Ｃに収容設置された表示部ユニットＰによって構成されており、図１０に示す如く上記表示部ユニットＰは、ＬＣＤデバイスＤの裏面にバックライトＬを設置したＬＣＤユニットＵの表示面に、強化ガラスから成形したカバーガラスＧを貼付けることによって構成されている。
【０００５】
一方、上記蓋体筐体Ｃは、共に樹脂成型品であるアウターケースＣｕとインナーケースＣｌとを互いに組付けて成り、上記アウターケースＣｕには、上方に開放された収容凹部Ｃｈが形成されている。
【０００６】
液晶表示部Ｃｄを構成する表示部ユニットＰは、上記蓋体筐体Ｃパネルの収容凹部Ｃｈの上方から落とし込むようにして収容され、カバーガラスＧの周縁部Ｇｅをパネル収容凹部Ｃｈの周縁部Ｃｅに両面接着テープＴを用いて貼り付けることで固定されている。
【０００７】
また、上記蓋体筐体Ｃには、固定された表示部ユニットＰにおけるカバーガラスＧの周縁外方を覆う側壁Ｃｗが形成されており、これによって蓋体筐体Ｃにおける外観形状は角張ったものとなっている。
【特許文献１】特開２００４−２５１９３８号公報
【発明の開示】
【発明が解決しようとする課題】
【０００８】
ところで、上述した如く両面接着テープＴを用いて表示部ユニットＰを蓋体筐体Ｃに固定している従来の携帯電話機Ａでは、落下時等の強い衝撃を受けた場合でも、蓋体筐体Ｃから表示部ユニットＰが脱落することのないよう、接着強度の大きな両面接着テープＴを用いて、蓋体筐体Ｃに表示部ユニットＰを固定している。
【０００９】
このため、修理等に際して蓋体筐体Ｃから表示部ユニットＰを取外す場合、両面接着テープＴの接着力に抗して表示部ユニットＰに大きな外力を掛けることで、上記表示部ユニットＰが破壊されて再使用が不可能となり、もって表示部ユニットＰに関するリペア作業が困難なものとなっていた。
【００１０】
また、上述した従来の携帯電話機Ａでは、蓋体筐体Ｃを構成するアウターケースＣｕおよびインナーケースＣｌが、強度を確保するために肉厚に形成された樹脂成型品であることと併せ、蓋体筐体Ｃに表示部ユニットＰを固定している両面接着テープＴの厚さ等に起因して、蓋体筐体Ｃにおける厚さ方向の寸法、延いては携帯電話機Ａ全体における外観形状の大型化を招く不都合があった。
【００１１】
本発明は上記実状に鑑みて、表示部ユニットに関するリペア作業を容易に実施することができ、併せて外観形状の可及的なコンパクト化を図ることの可能な電子機器の提供を目的とするものである。
【課題を解決するための手段】
【００１２】
請求項１の発明に関わる電子機器は、ＬＣＤの表示面にカバーガラスを貼付けて成る表示部ユニットを、機器筐体に収容設置して成る電子機器であって、肉薄の板金から形成されて表示部ユニットを収容保持するパネルホルダと、このパネルホルダを囲繞して保持する枠形状の中間ケースと、肉薄の板金から形成され中間ケースの外側に嵌合設置されてカバーガラスの表面周縁部と当接し表示部ユニットを保持する外ケースとを具備して成ることを特徴としている。
【００１３】
請求項２の発明に関わる電子機器は、請求項１の発明に関わる電子機器において、外ケースにおけるカバーガラスと中間ケースとの間のコーナー部を、面取り形状としたことを特徴としている。
【発明の効果】
【００１４】
請求項１の発明に関わる電子機器においては、パネルホルダを介して中間ケースに設置した表示部ユニットのカバーガラスに、上記中間ケースに嵌合設置した外ケースを当接させることにより、両面接着テープを使用することなく機器筐体に表示部ユニットを固定保持しているので、修理等において表示部ユニットを機器筐体から取外す際に大きな外力を掛ける必要がなく、もって表示部ユニットに関するリペア作業を容易に実施することが可能となる。
【００１５】
また、上述した如く機器筐体に対する表示部ユニットの固定に両面接着テープを使用していないことと併せ、機器筐体を構成する外ケースおよびパネルホルダを共に肉薄の板金から形成したことにより、機器筐体における厚さ方向の寸法、延いては電子機器全体のコンパクト化を達成することができる。
【００１６】
請求項２の発明に関わる電子機器によれば、外ケースにおけるコーナー部を面取り形状としたことで、外ケースのコーナー部が角張った形状をしている従来の構造と比較して、機器筐体の体積(容積)が削減されることにより実質的なコンパクト化が達成され、併せて見掛けの印象をもコンパクトなものとすることが可能となる。
【発明を実施するための最良の形態】
【００１７】
以下、実施例を示す図面に基づいて、本発明を詳細に説明する。  
図１および図２は、電子機器の一態様である携帯電話機に本発明を適用した実施例を示しており、このスライド式の携帯電話機１は、スライドユニット(図示せず)を介して開閉自在に連結された本体筐体２と蓋体筐体３とを具備し、上記本体筐体２には、送話部２ｍおよび所定数の操作キー２ｋ、２ｋ…等が設けられ、上記蓋体筐体３には受話部３ｒおよび液晶表示部３ｄ等が設けられている。
【００１８】
上記携帯電話機１における蓋体筐体(機器筐体)３は、図３に示す如く、互いに組付けられて筐体を構成するアウターケース(外ケース)３Ｕ、ベゼル(パネルホルダ)３Ｈ、ミドルケース(中間ケース)３Ｍ、およびロワーケース(下ケース)３Ｌ等を具備しており、上記蓋体筐体３の内部には、液晶表示部３ｄ(図１および図２参照)を構成する表示部ユニット１０が収容設置されている。
【００１９】
上記表示部ユニット１０は、図４に示す如く、矩形平面形状を呈するＬＣＤユニット１１のＬＣＤ１１Ｄの表示面に、同じく矩形平面形状を呈するカバーガラス１２を貼付けることによって構成されている。
【００２０】
上記ＬＣＤユニット１１は、図５および図６に示す如く、重ね合わせたＬＣＤ１１Ｄとバックライト１１Ｌとをケーシング１１Ｃに収容して成り、図４に示す如く、ケーシング１１Ｃの周囲には、取付用の爪部１１ｐ、１１ｐ…が形成されており、また、ケーシング１１Ｃの一方端部からは、フレキシブル配線基板１１ｆが延在している。
【００２１】
上記ＬＣＤユニット１１(ＬＣＤ１１Ｄ)に貼付けられたカバーガラス１２における左右の側縁部１２ｅ、１２ｅは、上記ＬＣＤユニット１１(ケーシング１１Ｃ)の側縁部と略面一に形成されており、また上記カバーガラス１２の表面には、周縁部を残した領域に保護フィルム１３が貼着されている。
【００２２】
上記表示部ユニット１０は、図３に示したベゼル(パネルホルダ)３Ｈに収容保持されており、該ベゼル３Ｈは、上方の開放された箱形状を呈するトレイ部３Ｈａと、該トレイ部３Ｈａの四方の開口縁部に形成されたフランジ３Ｈｆ、３Ｈｆ…とを有し、ステンレス材等の肉薄の板金から形成されている。
【００２３】
上記ベゼル３Ｈのトレイ部３Ｈａには、取付用の孔部３Ｈｏ、３Ｈｏ…が形成されており、この孔部３Ｈｏ、３Ｈｏ…に取付用の爪部１１ｐ、１１ｐ…が嵌合することで、上記表示部ユニット１０(ＬＣＤユニット１１)がベゼル３Ｈに収容保持されている。なお、上記表示部ユニット１０のフレキシブル配線基板１１ｆは、トレイ部３Ｈａに形成された開口３Ｈｄを介して、ベゼル３Ｈの外部に導出されている。
【００２４】
上記表示部ユニット１０を収容保持したベゼル３Ｈは、樹脂成型品であるミドルケース３Ｍに保持されており、該ミドルケース３Ｍの底部には、同じく樹脂成型品であるロワーケース３Ｌが組み付けられている。
【００２５】
上記ミドルケース３Ｍには、ベゼル３Ｈのトレイ部３Ｈａを収容する枠部３Ｍｆが形成されており、図５および図６に示す如く、枠部３Ｍｆの開口縁部に、上述したベゼル３Ｈのフランジ３Ｈｆ、３Ｈｆ…を載置することで、上記ミドルケース３Ｍは、ベゼル３Ｈを囲繞する態様で上記表示部ユニット１０を所定の位置に保持している。
【００２６】
一方、図３に示す如く、蓋体筐体３を構成するアウターケース３Ｕは、上記ミドルケース３Ｍの外側に嵌合設置されて、上記蓋体筐体３の外装を構成するパーツであり、ステンレス材等の肉薄の板金から形成されている。
【００２７】
また、上記アウターケース３Ｕは、正面板３Ｕｓと該正面板３Ｕｓの全周を巡る側板３Ｕｓとを有しており、上記正面板３Ｕｓには表示部開口３Ｕｏが形成され、上記側板３Ｕｓの下縁には係合リブ３Ｕｅが形成されている。
【００２８】
図５〜図７に示す如く、上記アウターケース３Ｕは、ミドルケース３Ｍに側板３Ｕｓを被せ、係合リブ３Ｕｅをミドルケース３Ｍの下縁に係合させることで、上記ミドルケース３Ｍに対して装着されている。
【００２９】
上記ミドルケース３Ｍにアウターケース３Ｕを装着した状態において、上記アウターケース３Ｕの正面板３Ｕｆ、詳しくは表示部開口３Ｕｏの全周を巡る内面は、表示部ユニット１０のカバーガラス１２における表面側の周縁部と、ダストクッション材３Ｕｑを介して当接している。
【００３０】
このように、ミドルケース３Ｍに装着されたアウターケース３Ｕが、カバーガラス１２と当接することにより、上記表示部ユニット１０は、ベゼル３Ｈを介してミドルケース３Ｍとアウターケース３Ｕとに挟持される態様で保持されている。
【００３１】
また、図３に示す如く、上記アウターケース３Ｕにおける正面板３Ｕｓと側板３Ｕｓとの会合するコーナー部３Ｕｃ、具体的には、図５および図６に示す如く、表示部ユニット１０におけるカバーガラス１２とミドルケース３Ｍとの間のコーナー部３Ｕｃは、傾斜した平面から成る面取り形状を呈している。
【００３２】
上記構成の携帯電話機１において、修理等に際し蓋体筐体３から表示部ユニット１０を取外す場合、先ず、ミドルケース３Ｍの下縁と係合リブ３Ｕｅとの係合を解き、アウターケース３Ｕをミドルケース３Ｍから取外し、表示部ユニット１０を露出させ、ベゼル３Ｈとともに表示部ユニット１０をミドルケース３Ｍから取出したのち、ベゼル３Ｈとの係合を解くことにより、表示部ユニット１０を蓋体筐体３から取出すことができる。
【００３３】
すなわち、上述した如き構成の携帯電話機１によれば、ベゼル３Ｈを介してミドルケース３Ｍに設置した表示部ユニット１０のカバーガラス１２に、上記ミドルケース３Ｍに嵌合設置したアウターケース３Ｕを当接させることにより、両面接着テープを使用することなく蓋体筐体３に表示部ユニット１０を固定保持しているので、修理等において表示部ユニット１０を蓋体筐体３から取外す際に大きな外力を掛ける必要がなく、もって表示部ユニット１０に関するリペア作業を容易に実施することが可能となる。
【００３４】
また、上述した如く表示部ユニット１０の固定に両面接着テープを使用していないことと併せ、蓋体筐体３を構成するアウターケース３Ｕおよびベゼル３Ｈを共に肉薄の板金から形成したことにより、蓋体筐体３における厚さ方向の寸法、延いては携帯電話機１全体のコンパクト化を達成することができる。
【００３５】
また、上述した実施例においては、図６および図７に示す如く、アウターケース３Ｕの正面板３Ｕｆにおける表示部開口３Ｕｏの縁部を、表示部ユニット１０のカバーガラス１２に貼着された保護フィルム１３に当接させているが、表示部ユニット１０のカバーガラス１２に直接に当接させる構成とすれば、上記保護フィルム１３の肉厚分、さらなる薄型化を達成することが可能となる。
【００３６】
また、上記構成の携帯電話機１によれば、蓋体筐体３におけるアウターケース３Ｕにおけるコーナー部を面取り形状としたことで、コーナー部が角張った形状をしている従来の携帯電話機(図８参照)と比較し、蓋体筐体３の体積(容積)が削減されることで実質的なコンパクト化が達成され、併せて見掛けの印象をもコンパクトなものとすることが可能となる。
【００３７】
因みに、上述した実施例においては、アウターケース３Ｕにおけるコーナー部の面取り形状を、傾斜した平面であるＣ面取り形状としているが、丸みを持ったＲ面取り形状としても良い。
【００３８】
また、上述した実施例においては、図７に示す如く、蓋体筐体３のアウターケース３Ｕによって、表示部ユニット１０におけるＬＣＤユニット１１のドライバ部１１ｄを覆っているため、表示部ユニットの全体が露呈している従来の携帯電話機(図８〜図１０参照)に比べ、蓋体筐体３の強度が向上することによって、ＬＣＤユニット１１のドライバ部１１ｄを有効に保護できる。
【００３９】
なお、上述した実施例においては、本発明を電子機器の一態様である携帯電話機に適用した例を示したが、携帯電話機やＰＨＳ(パーソナル・ハンディホン・システム)等の通信機器、あるいは電子辞書やＰＤＡ(パーソナル・データ・アシスタンス)等の携帯情報端末に限らず、ＬＣＤにカバーガラスを貼付けて成る表示部ユニットを機器筐体に収容設置して成る様々な電子機器に対しても、本発明を極めて有効に適用し得ることは言うまでもない。
【図面の簡単な説明】
【００４０】
【図１】本発明に関わる電子機器の一実施例であるスライド開閉式の携帯電話機を示す外観斜視図。
【図２】図１に示した携帯電話機の全体平面図。
【図３】図１に示した携帯電話機における上筐体の分解斜視図。
【図４】(ａ)および(ｂ)は、図１に示した携帯電話機を構成する表示部ユニットの平面図および側面図。
【図５】図２中の V−V 線断面図。
【図６】図５の要部拡大断面図。
【図７】図２中の VII−VII 線断面図。
【図８】従来の電子機器の一例である携帯電話機を示す外観斜視図。
【図９】図８に示した携帯電話機の正面図。
【図１０】(ａ)は図９中の X−X 線断面図、(ｂ)は要部拡大断面図。
【符号の説明】
【００４１】
１…携帯電話機(電子機器)、
３…蓋体筐体(機器筐体)、
３Ｕ…アウターケース(外ケース)、
３Ｕｃ…コーナー部、
３Ｈ…ベゼル(パネルホルダ)、
３Ｍ…ミドルケース(中間ケース)、
３Ｌ…ロワーケース(下ケース)、
１０…表示部ユニット、
１１…ＬＣＤユニット、
１１Ｄ…ＬＣＤ、
１２…カバーガラス。
【図１】
2008271192.tif 000003
【図２】
2008271192.tif 000004
【図３】
2008271192.tif 000005
【図４】
2008271192.tif 000006
【図５】
2008271192.tif 000007
【図６】
2008271192.tif 000008
【図７】
2008271192.tif 000009
【図８】
2008271192.tif 000010
【図９】
2008271192.tif 000011
【図１０】
2008271192.tif 000012